(57)【特許請求の範囲】
【請求項１】
出品者端末および入札者端末と通信可能であり、出品者からの出品についてのオークションを管理するオークション管理システムであって、
前記出品者端末から出品情報を受け付ける出品受付部と、
前記入札者端末から、第１段階オークションへの入札金額と、ユーザＩＤと、を含む入札応募を受け付ける入札受付部と、
前記入札受付部で受け付けた入札応募に含まれるユーザＩＤに基づいて、入札者情報が記憶されたユーザデータベースから前記入札者情報を抽出し、前記入札金額と前記入札者情報とに基づいて選択された、第１段階オークションでの落札者および第２段階オークションへの入札許可者のいずれか一方の入札者端末に対し、結果を通知する第１段階オークション結果通知部と、
前記第１段階オークションで落札者が選択されなかった場合、前記第２段階オークションへの入札許可者の入札者端末に対し、第２段階オークション開催情報を送信し、当該入札者端末から第２段階オークションへの入札を受け付けて第２段階オークションを実施する第２段階オークション実施部と、
前記第２段階オークションにおける落札者の前記入札者端末および出品者の前記出品者端末に落札結果を通知する落札通知部と、を備えるオークション管理システム。
【請求項２】
前記出品者端末に、前記入札金額と前記入札者情報とを送信する入札者情報送信部をさらに備え、
前記出品者端末は、第１段階オークションへの入札応募を行ったユーザの前記入札金額と前記入札者情報とを出品者に提示することにより、前記ユーザの中から、前記第２段階オークションへの入札許可者を、前記出品者に選択させ、
前記入札許可者に関する情報を、前記出品者端末から受け付ける選別結果受付部をさらに備えた、請求項１に記載のオークション管理システム。
【請求項３】
前記入札者情報は、入札応募を行ったユーザの会員ランクを含み、
前記第１段階オークションでの落札者は、即決可能な会員ランクを有するユーザから選択される、請求項１に記載のオークション管理システム。
【請求項４】
前記入札受付部で受け付けた入札応募に含まれるユーザＩＤに基づいて、入札者情報が記憶されたユーザデータベースから前記入札者情報を抽出し、前記入札金額と、前記入札者情報と、前記第２段階オークションへの入札を許可するための所定の条件と、に基づいて前記第２段階オークションへの入札許可者を決定する参加者審査部をさらに備えた、請求項１に記載のオークション管理システム。
【請求項５】
前記オークション実施部は、前記第２段階オークションへの入札許可者以外のユーザに、当該第２段階オークションにおける入札および落札に関する金額の情報を非公開としてオークション情報を提供する、請求項１〜４のいずれか１項に記載のオークション管理システム。
【請求項６】
前記入札者端末から会員登録申請における登録者情報を受け付ける会員登録受付部と、
前記会員登録申請が特別な会員ランクでの登録に関するものである場合、管理者端末に前記登録者情報を送信する登録者情報送信部と、
前記登録者情報送信部から送信された前記登録者情報に基づいて、特別な会員ランクでの登録の可否を審査した登録審査結果を、前記管理者端末から受け付け、前記登録審査結果で登録が認められる場合には、前記登録者情報を前記ユーザデータベースに記憶する登録審査結果受付部と、
前記登録審査結果受付部で受け付けた前記登録審査結果に基づいて、前記登録審査結果を前記入札者端末に通知する登録結果通知部と、を備える、請求項３に記載のオークション管理システム。
【請求項７】
コンピュータによって実行されるオークション管理方法であって、
出品者端末から、出品情報を受け付け、
入札者端末から、第１段階オークションへの入札金額と、ユーザＩＤと、を含む入札応募を受け付け、
前記入札応募に含まれるユーザＩＤに基づいて、入札者情報が記憶されたユーザデータベースから入札者情報を抽出し、
前記入札金額と前記入札者情報とに基づいて選択された、第１段階オークションでの落札者および第２段階オークションへの入札許可者のいずれか一方の入札者端末に対し、結果を通知し、
前記第１段階オークションで落札者が選択されなかった場合、前記第２段階オークションへの入札許可者の入札者端末に対し、第２段階オークション開催情報を送信し、当該入札者端末から第２段階オークションへの入札を受け付けて第２段階オークションを実施し、
前記第２段階オークションにおける落札者の入札者端末および出品者の出品者端末に落札結果を通知する、オークション管理方法。
【請求項８】
前記入札応募に含まれるユーザＩＤに基づいて、入札者情報が記憶されたユーザデータベースから前記入札者情報を抽出し、前記入札金額と、前記入札者情報と、前記第２段階オークションへの入札を許可するための所定の条件と、に基づいて前記第２段階オークションへの入札許可者を決定する、請求項７に記載のオークション管理方法
【請求項９】
出品者端末から、出品情報を受け付け、
入札者端末から、第１段階オークションへの入札金額と、ユーザＩＤと、を含む入札応募を受け付け、
前記入札応募に含まれるユーザＩＤに基づいて、入札者情報が記憶されたユーザデータベースから入札者情報を抽出し、
前記入札金額と前記入札者情報とに基づいて選択された、第１段階オークションでの落札者および第２段階オークションへの入札許可者のいずれか一方の入札者端末に対し、結果を通知し、
前記第１段階オークションで落札者が選択されなかった場合、前記第２段階オークションへの入札許可者の入札者端末に対し、第２段階オークション開催情報を送信し、当該入札者端末から第２段階オークションへの入札を受け付けて第２段階オークションを実施し、
前記第２段階オークションにおける落札者の入札者端末および出品者の出品者端末に落札結果を通知する処理を、コンピュータに実行させるためのプログラム。
【請求項１０】
前記入札応募に含まれるユーザＩＤに基づいて、入札者情報が記憶されたユーザデータベースから前記入札者情報を抽出し、前記入札金額と、前記入札者情報と、前記第２段階オークションへの入札を許可するための所定の条件と、に基づいて前記第２段階オークションへの入札許可者を決定する処理を、コンピュータに実行させるための請求項９に記載のプログラム。
【請求項１１】
請求項９または請求項１０に記載のプログラムを記憶した、コンピュータ読み取り可能な記憶媒体。
【発明の詳細な説明】
【技術分野】
【０００１】
本発明は、オークション管理システムに関する。
【背景技術】
【０００２】
近年、コンピュータやネットワーク技術の発展に伴い、オークションの出品、入札、落札等の手続をコンピュータシステムとインターネットを用いて行うネットオークションが盛んになっている。ネットオークションの対象商品は、個人が出品した品物から、不動産など、多岐にわたる。例えば、特許文献１（特許第３８７２３０７号）には、劇場の座席券についてのオークション技術が開示されている。
【先行技術文献】
【特許文献】
【０００３】
【特許文献１】特許第３８７２３０７号
【発明の概要】
【発明が解決しようとする課題】
【０００４】
特許文献１に開示されたような一般的なネットオークションでは、落札価格は第三者に公開される。しかし、ネットオークションにおいては、落札価格を非公開にしたいケースも存在する。例えば飲食店の座席に関するオークションにおいて、ある入札者が、通常より高い金額を支払ってでも特定の日時に座席を確保したいというニーズが存在する。この場合、飲食店等もそれに応じた座席を用意することで、通常より高い対価を得ることができるというメリットがある。このような特殊のニーズに対する特別なオークションにおいては、落札価格や落札者の情報は一般には知られたくない。特定の事情に応じて金額が定められるため、落札価格が広範に公開されると、それによって市場価格が定められ、それ以降のオークションの落札価格がその市場価格に左右されてしまうからである。
【０００５】
また、落札価格が広範に公開されると、入札後のキャンセルや強引な価格つり上げ等の悪戯入札の対象となりやすくなる。このような悪戯入札は、特に、特殊なニーズに対する特別なオークションにおいては好ましくない事態である。
【０００６】
本開示の目的は、出品者および入札者の特定の事情に対応するために、二段階オークションにより入札者を限定しつつ、落札価格の表示・非表示を調整するオークション管理システムを提供することにある。
【課題を解決するための手段】
【０００７】
上記の目的を達成するために、本発明のオークション管理システムは、
出品者端末からの出品情報を受け付ける出品受付部と、
入札者端末から、入札金額と、ユーザＩＤと、を含む入札応募を受け付ける入札受付部と、
入札受付部で受け付けた入札応募に含まれるユーザＩＤに基づいて、入札者情報が記憶されたユーザデータベースから入札者情報を抽出し、出品者端末に入札金額と、入札者情報と、を送信する入札者情報送信部と、
入札者情報送信部から送信された入札金額と、入札者情報と、に基づいて、オークション参加者を審査した結果を、出品者端末から受け付ける選別結果受付部と、
選別結果受付部で受け付けたオークション参加者を審査した結果により識別される審査通過者に対し、審査結果を通知する審査結果通知部と、
審査通過者に対し、オークション開催情報を送信し、オークションを実施するオークション実施部と、
オークション実施部で開催されたオークションにおける落札者および出品者に落札結果を通知する落札通知部と、を備える。
【発明の効果】
【０００８】
本発明によれば、特別なオークションなどで参加者を限定することで、特別なオークションの秘匿性を維持することが可能となり、悪戯入札を防ぐことができるオークション管理システムを提供する。
【図面の簡単な説明】
【０００９】
【図１】第１の実施形態にかかるオークション管理システム１００の概略構成を示すブロック図である。
【図２】出品に関する基本情報の入力画面の一例を示す図である。
【図３】出品に関するオークション情報の入力画面の一例を示す図である。
【図４】入札応募画面の一例を示す図である。
【図５】限定オークションの参加者審査における入力画面の一例を示す図である。
【図６】限定オークションの参加者審査における確認画面の一例を示す図である。
【図７】限定オークションにおける入札画面の一例を示す図である。
【図８】限定オークション開催情報の画面の一例を示す図である。
【図９】限定オークション開催情報の検索画面の一例を示す図である。
【図１０】第１の実施形態にかかるオークション管理システムによる限定オークションの流れを示すフロー図である。
【図１１】第２の実施形態にかかるオークション管理システム５００の概略構成を示すブロック図である。
【図１２】第２の実施形態にかかるオークション管理システム５００による限定オークションの流れを示すフロー図である。
【図１３】第２の実施形態における参加者審査に関する条件の入力画面の一例を示す図である。
【図１４】第３の実施形態にかかるオークション管理システム６００の概略構成を示すブロック図である。
【図１５】会員登録用の画面の一例を示す図である。
【図１６】第３の実施形態にかかる会員登録の流れを示すフロー図である。
【図１７】第３の実施形態にかかるオークション管理システム６００による限定オークションの流れを示すフロー図である。
【発明を実施するための形態】
【００１０】
以下、図面を参照し、本発明の実施の形態を詳しく説明する。図中同一または相当部分には同一符号を付してその説明は繰り返さない。
【００１１】
［第１の実施形態］
図１は、オークション管理システムを含むネットオークションの概要図である。オークション管理システムは、ネットワーク４００を介して、出品者端末２００と、入札者端末３００と、接続される。ネットワーク４００は、例えばインターネットである。
【００１２】
オークション管理システム１００は、出品受付部１０１と、入札受付部１０２と、入札者情報送信部１０３と、選別結果受付部１０４と、審査結果通知部１０５と、オークション実施部１０６と、落札通知部１０７と、ユーザデータベース（ＤＢ）１１１と、入札データベース（ＤＢ）１１３と、を備える。
【００１３】
オークション管理システム１００を構成する上記の機能部は、サーバ等のプロセッサがメモリ上のプログラムを実行することによって構成される。オークション管理システム１００を構成するサーバは、１台であっても複数であっても良い。物理的に離れた場所に設置されている複数のサーバが連携することによって、オークション管理システム１００の機能を実現することも可能である。ユーザＤＢ１１１および入札ＤＢ１１３についても同様に、これらのデータベースを格納する記憶装置は、１台であっても複数であっても良い。物理的に離れた場所に設置された複数の記憶装置に、データが分散して格納されていても良い。
【００１４】
出品受付部１０１は、出品者端末２００からの出品情報を、ネットワーク４００を介して受け付ける。具体的には、出品者が、出品者端末２００に表示された出品情報入力画面に基づいて出品情報を入力する。入力された出品情報はオークション管理システム１００に送られ、出品受付部１０１が出品者端末２００からの出品情報を受け付ける。
【００１５】
図２および図３は、出品者端末２００において出品者がオークションへ出品する際の出品情報入力画面の一例を示す。図２および図３で示す例は、広告媒体をオークションの対象とする場合の例である。図２は、出品に関する基本情報を入力する画面である。出品形態の項目２０では、通常オークションか限定オークションかを設定する。「通常オークション」は、原則としてすべてのユーザが入札することができ、入札結果も公開される通常のオークションである。なお、通常オークションであっても、例えば過去の入札履歴や支払履歴等に応じていわゆるブラックリストに基づいて、オークションに参加させることが望ましくないユーザを除外することがあっても良い。「限定オークション」は、入札者の中から出品者が選別した者のみが入札をすることができ、かつ、入札結果を見ることができる特別なオークションである。通常オークションおよび限定オークションの具体的な処理については、後述する。その他の項目２１については、出品する広告媒体に関する情報である。これらは、出品する商品のカテゴリに応じて異なる。
【００１６】
図３は、出品者がオークションに関する情報を入力する画面である。ここでは、価格、期間等の出品に関する情報を入力する。出品者は、開始価格や即決価格を入力することができる。これらの価格は必須入力項目としても良いし、任意の入力項目としても良い。出品期間としては、応募期間、審査期間、入札期間、終了日時等を設定することができる。また、オークションが成立しなかったときに、自動的に再出品するか否か、再出品する場合には何度再出品できるかを設定できる。「早期終了」の欄は、オークション開催期間の途中での落札を可能とする場合に「あり」と設定される。「選定時点の落札」の欄は、後述のオークション参加者の審査を行う際に、入札者からの落札希望額がある所定の金額に達している場合に、即決で落札を行う場合に「あり」と設定される。この画面で入力する項目は、出品する商品のカテゴリに応じて異なるものではなく、すべてのカテゴリのオークションで共通の項目としても良い。
【００１７】
図１のオークション管理システム１の説明に戻る。入札受付部１０２は、入札者端末３００からの入札応募を受け取り、受け取った入札応募に基づいて、ユーザＤＢ１１１を照合し、入札応募に該当する入札者情報を受け取る。入札者端末３００における入札応募画面の表示例を図４に示す。画像４０は、出品された商品に関する画像を表示する。図４に示す例では、出品された商品は広告媒体（広告を掲示するための看板）である。出品情報４１には、出品商品についての詳細な情報が示される。例えば図４に示す広告媒体のケースにおいては、掲載サイズ、広告の納品形式、掲載エリア（広告媒体の設置エリア）、掲載期間等の情報が表示される。
【００１８】
入札者は、入札者端末３００に示される出品情報から、入札応募したい対象出品に対し、応募入力部４２において落札希望金額を入力し、入札応募ボタン４３を押す。これにより、入札者端末３００から入札受付部１０２に、入札者のユーザＩＤと、それに対応付けられた落札希望金額が送られる。なお、ユーザＩＤとしては、入札者を一意に特定できる情報であれば、任意の情報を用いることができる。ユーザＩＤは、例えば、オークション管理システム１においてユーザに順次割り当てられる番号（記号や文字を含んでも良い）であっても良いし、ユーザのメールアドレス、電話番号、または、入札者端末３００のＩＰアドレス等であっても良い。
【００１９】
入札受付部１０２は、入札応募に含まれるユーザＩＤに基づいて、ユーザＤＢ１１１を照合し、入札応募に該当する入札者情報を抽出する。ここで、ユーザＤＢ１１１には、オークション管理システム１を利用する場合に、ユーザが事前に行う会員登録の情報が登録される。ユーザＤＢ１１１に登録される情報は、例えば、ユーザＩＤ、氏名、年齢、性別、メールアドレス、パスワード、会員ランク等であるが、これらに限定されるものではない。また、ユーザＤＢ１１１に登録される情報は、オークションへの参加や、入札応募、出品者からの評価のタイミングで更新される。
【００２０】
入札者情報送信部１０３は、入札受付部１０２で受け取った入札応募に関する価格情報およびユーザＤＢ１１１から抽出した入札者情報を、ネットワーク４００を介して出品者端末２００に送信する。これにより、出品者端末２００において入札者情報を表示することが可能となる。
【００２１】
出品者は、入札者情報に基づいて、オークション参加者の審査を行う。出品者端末２００には、例えば、図５のような審査画面が表示される。出品者は、このリストを見ながら入札者を審査し、限定オークションへの参加を認める入札者（審査通過者）のチェックボックス５３にチェックを入れる。なお、条件を設定することにより、審査対象の入札者を絞り込むことも可能である。例えば、検索画面５０に評価、希望落札額、会員ランク、および取引回数等の検索条件を任意に入力し、検索ボタン５１を押すと、検索表示画面５２に、検索条件を満たす入札者情報のリストが表示される。これにより、出品者は、所定の条件を満たす入札者のみから、効率的に審査通過者を選択することができる。審査が終了すると、出品者が確認画面ボタン５４を押すと、図６に示すような確認画面６０が出品者端末２００に表示される。出品者は、確認画面６０を見て、問題がなければ、送信ボタン６２を押す。送信ボタン６２が押されると、審査結果が、オークション管理システム１の選別結果受付部１０４に送られる。なお、確認画面６０において、戻るボタン６１を押せば、図５に示す審査画面に戻って、再度審査を行うことができる。
【００２２】
選別結果受付部１０４は、出品者端末２００から送られてきたオークション参加に関する審査結果を、ネットワーク４００を介して受け取る。審査結果には、限定オークションへの参加が認められた審査通過者と、参加が認められなかった審査非通過者と、を識別する情報が含まれる。
【００２３】
審査結果通知部１０５は、選別結果受付部１０４で受け付けた審査結果に基づいて、審査通過者の入札者端末３００に対し、限定オークションへの参加が認められた旨を通知する。同様に、審査非通過者の入札者端末３００に、限定オークションへの参加が認められなかった旨を通知する。
【００２４】
オークション実施部１０６は、審査通過者に対し、限定オークションの開催情報を送信し、限定オークションを開始する。限定オークションの開催情報には、限定オークションの入札画面にアクセスするためのＵＲＬや、必要に応じて、限定オークションへのログイン用のパスワード等が含まれている。すなわち、限定オークションに参加できるのは、限定オークションの開催情報を受け取った審査通過者のみである。審査通過者は、入札者端末３００において、上記の開催情報に基づいて限定オークションの入札画面にアクセスし、対象となる出品商品への入札金額を入力し入札を行う。図７に、入札者端末３００における限定オークションへの入札画面の一例を示す。入札者は、図７の入札額入力エリア７０において入札額を入力し、入札ボタン７１を押す。これにより入札者端末３００からオークション実施部１０６に入札通知（ユーザＩＤおよび入札額）が送られる。オークション実施部１０６は、審査通過者からの入札通知を入札ＤＢ１１３に登録する。オークション実施部１０６は、審査通過者からの入力通知があると、その都度入札ＤＢ１１３を更新する。そして、オークション実施部１０６は、入札ＤＢ１１３の情報に基づいて、入札画面に表示される現在価格および入札件数を更新する。これにより、限定オークションに参加している審査通過者は、最新の入札状況を見ることができる。
【００２５】
また、オークション実施部１０６は、審査通過者以外のユーザ、すなわち、審査非通過者およびオークションに応募しなかった一般のユーザに対しても、限定オークションが開催されていることを公開する。ただし、審査通過者以外のユーザに対しては、入札価格および入札者は非公開とされる。図８に、審査通過者以外のユーザの入札者端末３００に表示されるオークション開催情報の画面例を示す。図８に示すように、審査通過者以外のユーザの入札者端末３００には、出品商品に関する情報と、この出品商品についてオークション開催中であることは表示されるが、入札価格は表示されない。なお、図８に示すオークション開催情報に関する画面は、例えば図９に示す検索画面９０によって条件に該当するオークションを表示エリア９１に表示させ、対象となるオークションを指定することにより表示される。図９に示す検索画面９０において、限定オークションの審査通過者が該当オークションを選択した場合は、図７に示すように、入札価格を含む画面が表示される。
【００２６】
限定オークションは、出品者が指定したオークション期間の経過または、即決価格到達により終了する。オークションが終了すると、落札通知部１０７は、オークションの結果を、出品者の出品者端末２００および落札者の入札者端末３００に通知する。また、落札者以外の入札者に対しては、落札価格および落札者についての情報は開示せず、オークションの終了のみを通知する。このように、落札者以外の入札者にも落札価格を開示しないようにすれば、オークションの秘匿性をより高めることができる。ただし、そこまでの秘匿性を要しない場合には、落札者以外の入札者にも落札価格を知らせるようにしても良い。
【００２７】
図１０は、オークション管理システム１００による限定オークションのフローを示す図である。出品者端末２００からオークション管理システム１００に出品情報が送信される（ステップＳ１００１）。その後、入札者端末３００からオークション管理システム１００に入札応募が送付される（ステップＳ１００２）。オークション管理システム１００は、入札応募を受け付けると、ユーザＤＢ１１１を照合し、入札応募に対応する入札者情報をユーザＤＢ１１１から抽出する（ステップＳ１００３）。オークション管理システム１００は、入札応募に含まれる入札金額と、抽出した入札者情報と、を出品者端末２００に送信する（ステップＳ１００４）。
【００２８】
その後、入札金額および入札者情報に基づいて、限定オークションへの参加者が審査される（ステップＳ１００５）。ステップＳ１００５において審査された結果（参加者審査結果）には、審査通過者と審査非通過者を識別する情報が含まれる。限定オークションへの参加者審査結果が、出品者端末２００から、オークション管理システム１００に送信される（ステップＳ１００６）。限定オークションに関する参加者審査結果に基づいて、オークション管理システム１００から入札者端末３００へ、参加者審査結果が通知される（ステップＳ１００７）。
【００２９】
また、オークション管理システム１００から、審査通過者の入札者端末３００にのみ、オークション開催情報が送信される（ステップＳ１００８）。オークション開催情報には、オークションに関する落札金額、入札件数、残り時間、および入札額の入力欄等が含まれる。上述のとおり、オークション開催情報は、審査通過者以外のユーザにも送信される。ただし、審査通過者以外のユーザは、入札状況（入札額等）や落札金額等を見ることはできない。
【００３０】
オークション開催情報を受け取った審査通過者は、入札者端末３００からオークション管理システム１００に入札を通知する（ステップＳ１００９）。オークション管理システム１００は、各審査通過者の入札者端末３００から送られてくる入札通知を入札ＤＢ１１３に登録する（ステップＳ１０１０）。
【００３１】
その後、オークション管理システム１００では、入札ＤＢ１１３に登録された入札情報に基づいて、限定オークションを開催する（ステップＳ１０１１）。なお、入札ＤＢ１１３は、オークション開催期間内にオークション管理システム１００に送られてきた入札通知に従って随時更新される。限定オークションの入札者の入札者端末３００において、入札画面（図７参照）は、入札状況に応じて随時更新される。入札者は、入札期間中は、入札画面を見て、入札金額を変更して再入札をすることができる。このステップＳ１００８〜ステップＳ１０１１までの処理は、オークションが終了するまで繰り替えされる（ループ１０）。オークション実施部１０６は、入札期間が完了すると、入札受付部１０２に入札の受付停止を指示することにより、オークションを終了する。
【００３２】
オークションが終了し落札者が決定すると、オークション実施部１０６は、入札ＤＢ１１３を参照し、最も高い入札金額を提示した入札者を、落札者として決定する。落札者が決定されると、落札通知部１０７から、出品者端末２００へ落札通知が送信される（ステップＳ１０１２）。また、落札通知部１０７は、落札者の入札者端末３００へも落札通知を送信する（ステップＳ１０１３）。なお、ここでは、落札通知部１０７が入札金額に応じて自動的に落札者を決定するものとしたが、出品者が落札者を決定することとしても良い。
【００３３】
以上のように、第１の実施形態に係るオークション管理システム１００においては、限定オークションへの参加者を審査し、審査を通過した審査通過者に対してのみオークション開催情報を送付し、オークションを実施する。これにより、落札価格を公開したくない特別なオークションを実施することが可能となる。また、特別なオークションの秘匿性を維持することが可能となり、悪戯入札も抑制することができる。
【００３４】
また、第１の実施形態に係るオークション管理システム１００においては、限定オークションへの参加の審査において審査を通過できなかった審査非通過者、および限定オークションに応募しなかった一般のユーザに対しても、金額を非公開にしてオークション開催情報を送付する。これにより、審査通過者以外のユーザは、オークションには参加できないものの、オークションの開催自体は知ることができる。すなわち、オークションの価格の秘匿性を維持しつつ、オークションの開催を広く公開することで、オークションに関する宣伝や広告の役割を果たすことができる。
【００３５】
オークションの対象としての広告媒体の形態は任意である。広告媒体の他の例としては、例えば、駅等の公共スペースや建物の屋上等に設置された看板、電車やバス内の吊り広告やディスプレイ、アドバルーン、ネオンサイン、宣伝カー等がある。
【００３６】
また、限定オークションは、上述の広告媒体のオークション以外にも、例えば飲食店の座席に関するオークションに対して有用である。例えば、飲食店側で、本発明の限定オークションを用いた座席を出品した場合、飲食店側としては限定オークションで価格が上昇した席を提供できるというメリットがある。一方で、ある特別な日にこの飲食店の座席を確保したいというお客は、本発明の限定オークションを利用することにより、通常より高い代金を払うことで座席を確保することができるというメリットがある。
【００３７】
また、このようなケースにおいては、限定オークションの価格の標準化を避けるため、出品者側としては、価格の公開を限定したいと考える。一方で、このような限定オークションを利用した座席を提供している事実に関して、宣伝したいと考える。本発明はこの両方の要望に対応できる。すなわち、限定オークションで、オークション参加者を限定することで、価格の標準化を防げるとともに、オークション開催自体は公開するため、オークションの宣伝、広告としても機能する。
【００３８】
［第２の実施形態］
以上のとおり、本発明の具体的な実施形態を一つ説明したが、上述した実施形態は例示であって、本発明を限定するものではない。例えば、上述の実施形態では、限定オークションへの参加者の審査を、出品者が出品者端末２００で行う形態を例示したが、オークション参加者の審査を、オークション管理システム１００において自動で行うようにしてもよい。以下、オークションの参加者の選別をオークション管理システムにおいて行う、この発明の第２の実施形態にかかるオークション管理システムについて、第１の実施形態と異なる構成について説明する。
【００３９】
図１１に示すオークション管理システム５００においては、図１に示す第１の実施形態で備えていた入札者情報送信部１０３および、選別結果受付部１０４は含まれない。その代わりに、参加者審査部５０３を備える。
【００４０】
図１２に第２の実施形態に係るオークション管理システム５００を用いた限定オークションのフロー図を示す。図１２に示すように、ステップＳ１２０１で、出品者が出品者端末２００において出品情報を入力する際、第１の実施形態で入力した情報の他に、限定オークションへの参加を認めるユーザについての条件を入力する。具体的には、上述の図２および図３の出品情報以外に、例えば図１３に示すような、評価、希望落札額、会員ランク、および取引回数を入力する。評価とは、例えば、オークション管理システム５００での過去の取引における他のユーザからの評価の平均点である。希望落札額は、図４に示した入札画面で入力された落札希望金額についての閾値である。これにより、落札希望金額が低すぎるユーザ等を振るい落とすことができる。会員ランクは、オークション管理システム５００によって過去の取引実績や会員属性等に応じて与えられる。例えば、第１の実施形態で参照した図５に例示されているように、「認定パートナー」、「プレミアム」、「スタンダード」等の会員ランクを付与することができる。会員ランクが高いほど限定オークションへ参加できる可能性が高まる、という仕組みにすれば、オークション管理システム５００のユーザにとって、会員ランクを上げようという動機付けが生じるので、オークション管理システム５００の利用頻度が向上する等の利点がある。取引回数についても同様である。
【００４１】
また、図１２に示すフロー図においては、入札者端末３００からの入札応募に応じてユーザＤＢ１１１を照合し、入札者情報を抽出する。参加者審査部５０３は、ここで抽出された入札者情報等を用いて、限定オークションへの参加者審査をおこなう（ステップＳ１２０５）。ここで、参加者の審査は、ステップＳ１２０１で受け付けた評価、希望落札額、会員ランク、およびと取引回数の条件に基づいて行われる。これらの条件を満たす者が審査通過者となり、条件を満たさない者は、審査非通過者となる。
【００４２】
以上のように、第２の実施形態に係るオークション管理システム５００においては、出品者が出品情報を登録する際に、限定オークションへの参加の審査条件を入力しておくことで、限定オークションの参加者の審査をオークション管理システム５００で自動的に行うことができる。これにより、出品者が出品者端末２００で、参加者を審査する作業が不要となる。第２の実施形態に係るオークション管理システム５００は、入札応募者が多い限定オークションの場合に、特に有用である。
【００４３】
なお、オークション管理システム５００において、出品者が、第１の実施形態のように、限定オークションへの参加者を自分で選別するか、参加者審査部５０３に自動的に選別させるかを、出品の都度に決定できるようにしても良い。
【００４４】
また、参加者審査部５０３によってある程度参加者の絞りこみを行った後に、出品者が限定オークションへの参加者を選別するようにしても良い。この場合、図１３で出品者が指定した評価以下の入札応募者については、参加者審査部５０３で審査非通過者とする。そして、参加者審査部５０３で審査通過者となった者のみを対象として、上述の第１の実施形態で示したように、出品者が、限定オークションへの参加者を選別できるようにしてもよい。これにより、入札応募の際、評価値の低い入札応募者を自動的に選別することが可能となり、入札応募者が多い限定オークションの場合に有用となる。
【００４５】
[第３の実施形態]
次に、第３の実施形態について説明する。なお、以下の説明において、第１および／または第２の実施形態と同じ符号を用いる場合、第１および／または第２の実施形態と同一の構成を示し、特に説明がない限り先行する説明を参照する。以下、入札者の事前登録をオークション管理システムにおいて行う、この発明の第３の実施形態にかかるオークション管理システム６００について、第１および／または第２の実施形態と異なる構成について説明する。
【００４６】
図１４に示すオークション管理システム６００においては、図１に示す第１の実施形態に、会員登録受付部６０８と、登録者情報送信部６０９と、登録審査結果受付部６１０と、登録結果通知部６１１と、をさらに備える。また、オークション管理システム６００は、ネットワーク４００を介して、管理者端末７００と、さらに接続される。
【００４７】
会員登録受付部６０８は、入札者端末３００において、オークション管理システム６００のユーザが行う会員登録申請を受け付ける。会員登録申請は、例えば、図１５に示されるような会員登録用画面によって行われる。この会員登録用画面は、入札者端末３００に表示され、ユーザは、希望する会員ランクの申し込みボタン１５１を押して会員登録申請を行う。ユーザが、入札者端末３００において、図１５に示す申し込みボタン１５１を押すと会員登録に必要な情報を入力する会員情報登録画面（図示なし）に遷移する。ユーザは、会員情報登録画面において入力する会員登録に必要な情報は、例えば、ユーザＩＤ、氏名、年齢、性別、メールアドレス、パスワード等である。
【００４８】
図１５に示す例では、会員ランクは、スタンダード、プレミアム、および認定パートナーに分かれている。スタンダードからプレミアム、プレミアムから認定パートナーと会員ランクが上がるに従って、オークション管理システム６００において利用できるサービスの範囲が広がったり、サービス面で優遇されたりするが、月々の会費等の金額も上昇する。さらに、認定パートナーは、会員登録に審査も要する。なお、オークション管理システム６００のユーザが、初回の会員登録時から、スタンダード会員、プレミアム会員、認定パートナーのいずれかを選択できるようにしても良い。あるいは、プレミアム会員または認定パートナー等の上級会員資格は、ある程度の利用実績を積んでからでないと選択できないようにしても良い。以下の説明では、認定パートナーに応募できるのは、オークション管理システム６００の利用実績があるユーザ（既存会員）だけであると仮定して、説明を行う。
【００４９】
会員登録受付部６０８は、ユーザから申請された会員登録の申請が、スタンダード会員またはプレミアム会員の申請の場合には、上述の会員登録に必要な情報をユーザＤＢ１１１に登録する。その後、会員登録受付部６０８は、登録結果通知部６１１に、会員登録が完了したことを通知する。会員登録受付部６０８からの会員登録完了通知に基づいて、登録結果通知部６１１は、入札者端末３００に対し、会員登録が完了した旨の通知を行う。
【００５０】
一方、会員登録受付部６０８は、ユーザから申請された会員登録の申請が、認定パートナーの申請の場合には、登録者情報送信部６０９に上述の会員登録に必要な情報を送る。登録者情報送信部６０９は、受け取った会員登録に必要な情報を、ネットワーク４００を介して管理者端末７００に送る。管理者端末７００は、オークション管理システム６００を管理するための端末であり、オークション管理システム６００の管理者によって操作される。
【００５１】
登録者情報送信部６０９からの情報を受け取った管理者端末７００において、管理者は、ユーザが認定パートナー会員として登録してよいか否かを判断する。ここで管理者は、認定パートナー会員の登録申請を行ったユーザについて、過去のオークション実績や評価、ユーザの信用情報、ブラックリストに載っていないか等、を踏まえて登録の可否を判断する。過去のオークション実績や評価は、オークション管理システム６００のユーザＤＢ１１１および／または入札ＤＢ１１３に記憶されている情報、または別のデータベース（図示なし）に記憶されている情報を用いることができる。また、ユーザの信用情報やブラックリスト等は、オークション管理システム６００の外部（例えば、信用情報を提供する外部機関）から入手したものを利用することができる。管理者が行った会員登録の可否判断結果を管理者端末７００により、登録審査結果受付部６１０に送る。
【００５２】
登録審査結果受付部６１０は、管理者端末７００から送られてきた会員登録の可否に関する結果に応じて処理を行う。登録可能な結果の場合、登録審査結果受付部６１０は、認定パートナーとしての会員登録に必要な情報をユーザＤＢ１１１に登録する。そして、登録審査結果受付部６１０は、登録可能な旨を登録結果通知部６１１に送る。登録結果通知部６１１は、入札者端末３００に対し、認定パートナーとしての会員登録が完了した旨の通知を行う。
【００５３】
一方、認定パートナーとしての会員登録が行えないと判断された場合、登録審査結果受付部６１０は、登録ができない旨を登録結果通知部６１１に送る。登録結果通知部６１１は、入札者端末３００に対し、認定パートナー会員の登録が行えない旨（審査非通過）を通知する。また、今回の審査結果は、ユーザＤＢ１１１に記録される。
【００５４】
図１６に、オークション管理システム６００を用いた入札者の会員登録のフロー図を示す。図１６に示すフロー図において、ユーザが入札者端末３００において、会員登録申請を行う（ステップ１６０１）。その後、申請された会員ランクに応じて処理が分かれる。図１６のａｌｔ領域１６の上段には、申請された会員ランクがスタンダードまたはプレミアムの場合のフローを示す。一方、図１６のａｌｔ領域１６の下段には、申請された会員ランクが認定パートナーの場合のフローを示す。
【００５５】
申請された会員ランクがスタンダードまたはプレミアムの場合は、オークション管理システム６００は、会員登録に必要な情報をユーザＤＢ１１１に登録する（ステップＳ１６０２）。そして、オークション管理システム６００は、入札者端末３００に対して、登録が完了した旨の、登録結果通知を送る（ステップＳ１６０３）。
【００５６】
一方、申請された会員ランクが認定パートナーの場合は、オークション管理システム６００は、管理者端末７００に対し、会員登録に必要な情報を送る（ステップＳ１６０４）。管理者端末７００において、管理者が、受け取った情報に基づき、申請者の登録審査を行う（ステップＳ１６０５）。管理者は、登録審査の結果をオークション管理システム６００に送る（ステップＳ１６０６）。
【００５７】
オークション管理システム６００は、管理者端末７００から送られてきた登録の可否に関する結果に応じて処理を行う。登録可能と判断された場合、オークション管理システム６００は、会員登録に必要な情報をユーザＤＢ１１１に登録する（ステップＳ１６０７）。そして、オークション管理システム６００は、入札者端末３００に対し、会員登録が完了した旨の通知を行う（ステップＳ１６０８）。
【００５８】
一方、管理者が、認定パートナーとしての会員登録を認めないと判断した場合は、オークション管理システム６００は、入札者端末３００に対し、認定パートナー会員の登録が行えない旨（審査非通過）を通知する（ステップＳ１６０８）。また、この審査結果をユーザＤＢ１１１に記録する。
【００５９】
本実施形態においては、入札者の会員ランクが認定パートナーである場合、即決による落札が可能である点において、第１および第２の実施形態と異なっている。なお、即決による落札とは、出品者が「即決価格」を指定することができ、限定オークションへの参加者を決定する時点において、認定パートナー資格を有する入札者が即決価格以上の価格で入札をしていた場合、限定オークションを行うことなく、当該入札者が落札者となる仕組みである。なお、即決価格以上の価格で入札をした認定パートナー会員が複数存在した場合は、最も高い価格を提示した入札者を落札者とする。あるいは、それら複数の認定パートナー会員のみで、限定オークションを実施しても良い。
【００６０】
図１７に、第３の実施形態に係るオークション管理システム６００を用いた限定オークションのフロー図を示す。なお、図１７において、第１の実施形態における限定オークションのフロー図（図１０）と同じ処理となる箇所については説明を省略する。ステップＳ１７０１で、出品者が出品者端末２００において出品情報を入力する際、図３に示す「即決価格」に即決可能な金額を入力し、「選定時点の落札」で「あり」を選択する。これらの情報を含む出品情報は、オークション管理システム６００に送られる。
【００６１】
ステップＳ１７０２で、入札者は、入札者端末３００の入札画面から、入札に必要な情報を入力する。なお、このとき、即決価格は入札画面に表示しない。ただし、即決価格を入札画面に表示する仕様としても良い。入札者が入札画面から入力した情報は、オークション管理システム６００に送信される。ここで、この入札者の会員ランクは認定パートナーであるとする。オークション管理システム６００は、入札応募に含まれるユーザＩＤに基づいて、ユーザＤＢ１１１を照合し、入札応募に該当する入札者情報を抽出する（ステップＳ１７０３）。オークション管理システム６００は、入札応募に含まれる入札金額と、抽出した入札者情報と、を出品者端末２００に送信する（ステップＳ１７０４）。入札者情報には、ユーザＩＤ、氏名、年齢、性別、メールアドレス、パスワード、会員ランク等が含まれる。
【００６２】
その後、入札金額および入札者情報に基づいて、オークション参加者が審査される（ステップＳ１７０５）。ここで、上述の通り、出品者は出品情報を入力する際に、「即決価格」を入力し、また「選定時点の落札」で「あり」を選択している。そのため、入札金額が即決価格以上であり、入札者情報に含まれる会員ランクが認定パートナーである場合、出品者は、本入札に対し即決の判断を行うことができる。即決の場合、即決の判断結果が参加者選別結果としてオークション管理システム６００に送られる（ステップＳ１７０６）。
【００６３】
図１７に示すａｌｔ領域１７の上段は、オークションが即決で落札された場合のフローを示す。一方、図１７に示すａｌｔ領域１７の下段は、限定オークションの場合のフローを示す。即決価格を上回る金額で入札した認定パートナーがいなかった場合は、第１の実施形態と同様に、限定オークションが実施される。限定オークションの場合のフローは第１の実施形態で説明した通りであり、ここでは説明を省略する。
【００６４】
オークションが即決で落札された場合、オークション管理システム６００の落札通知部１０７は、入札者端末３００に対し、この時点での落札を通知する（ステップＳ１７１３）。なお、オークションが即決で落札される場合、出品者は落札情報を知っているため、オークション管理システム６００から出品者端末２００への落札通知は行われない。また、即決による落札の場合も、落札価格は公開されずに秘匿される。
【００６５】
以上のように、第３の実施形態に係るオークション管理システム６００においては、事前の会員登録の際の認定パートナーの審査において、過去の利用履歴や評価、または信用情報等に基づいて、ある程度の信用ができるユーザのみを認定パートナー会員と認定している。認定パートナー会員は、一般会員とは異なり、出品者が指定した即決価格を上回る額で入札すれば、即決による落札が可能である。このように、認定パートナー会員であれば即決による落札を可能とすることにより、オークションの秘匿性をより高めることができる。また、即決による落札の場合も落札価格が公開されないので、オークションの対象商品の価格が固定されてしまうことを防止できる。
【００６６】
[他の実施形態]
以上、上述した実施の形態は本発明を実施するための例示に過ぎない。よって、本発明は、上述した実施の形態に限定されることなく、その趣旨を逸脱しない範囲内で上述した実施の形態を適宜変形して実施することが可能である。
【００６７】
上述した実施の形態における出品者端末２００、入札者端末３００および管理者端末７００に表示される各画面はインターネット上のブラウザでオークション管理システムにアクセスすることで表示することが可能である。また、出品者端末２００、入札者端末３００、および管理者端末７００に専用のアプリケーションを用意し、このアプリケーションにより表示させることも可能である。さらには、ＳＮＳ（ソーシャル・ネットワーキング・サービス）上で表示させることも可能である。ＳＮＳ上に限定オークションの開催情報が流れることで、より多くのユーザに限定オークションの開催情報を知らせることが可能になる。また、ＳＮＳ上に限定オークションの開催情報を流す際に入札価格を公開しないことで、限定オークションによるオークションの秘匿性を維持することが可能となる。さらに、ＳＮＳ上で多くのフォロワーを有するＳＮＳユーザに、ＳＮＳ上で製品やサービスの紹介を依頼するビジネスでも本発明を利用可能である。具体的には、ＳＮＳ上で多くのフォロワーを有するＳＮＳユーザが出品者となって、ＳＮＳ上での製品やサービスの紹介（宣伝、広告）枠を出品し、商品やサービスの提供者が入札するというものである。
【００６８】
上述した実施の形態においては、広告媒体や飲食店の座席に関するオークションへの適用の例を示したが、本発明の適用分野はこれに限定されない。例えばアーティストや芸能人などの人物に対してのオークションにも適用することができる。アーティストや芸能人などの出演、サイン会、握手会、限定イベント等に関して、一般のオークション形式で価格決定を行うと、落札価格が公開され、その人物の出演料等について事実上の相場が出来上がってしまう（出演料の固定化または標準化が起こる）、という問題が生じる。アーティストや芸能人にとっては、状況に応じて出演料等を柔軟に設定できることが好ましい。従って、アーティストや芸能人などの出演料等に関して限定オークションを適用することで、落札価格を秘匿することが可能となり、出演料等の固定化を防ぐことができる。
【００６９】
また、本発明にかかる限定オークションは、不動産の売買や賃貸、建設、リフォーム、駐車場、高級車、中古車、限定車、アーティスト作品、ダイヤモンドや宝石類、骨董品等のオークションに対しても効果が期待できる。これらのオークションにおいては、落札者は、落札者情報を他人に知られたくないことが多い。特に対象商品が不動産の場合、出品情報に対象物件の住所が含まれ、公開されるため、プライバシー保護やセキュリティの観点からも、落札価格や落札者情報を他人に知られるのは好ましくない。また、高級車、美術品、または骨董品等を高額で落札したという事実を他人に知られたくない入札者も多い。本発明にかかる限定オークションを利用することで、このような場合に、落札価格や落札者情報の秘匿性が維持できる。
【００７０】
また、本発明にかかる限定オークションは、バスやタクシーなどの交通手段、電車や航空券の予約、ホテルの客室予約、ゲストハウス予約、民泊予約、コンサートのチケット販売、レンタカー、カーシェアリング、運送、宅配、通販、ネイルサロンやマッサージ、整体、美容室、貸衣装、家具等のレンタル、オーダーメイド、スポーツの指導、セミナー、講義、技術指導、人材派遣、各種出張サービス、ヘッドハンティング、アルバイトや転職サイト、クラウドファンディング、クラウドソーシング、映画配信、清掃業者派遣、農産物や海産物の直販などのサービスのオークションにおいても効果が期待できる。これらのサービスを利用したいユーザは、例えばある特別な日時に、通常よりも高い金額を払ってでもサービスを受けたい場合がある。この場合に、これらのサービスの提供者が、本発明の限定オークションにこれらのサービスを出品することで、通常より高い金額でこれらのサービスを提供することができ、ユーザおよびサービス提供者の両方にメリットが生じる。また、参加者以外に落札価格を公開しないことで、これらのサービスについての落札価格の標準化を防ぐことができる。
【００７１】
また、例えば、映画やイベント等のスポンサー権のオークションに本発明を適用することもできる。また、映画やドラマ内のシーンで映る飲食店等の看板等にも、本発明の限定オークションを適用することができる。例えば、スポンサー権に関するオークションにおいては、落札したユーザの会社名やブランド名が、映画のエンディングロールに掲載される。これにより、落札したユーザの会社名やブランド名が、映画等において宣伝広告される。出品者は、スポンサー権の落札価格を、映画やイベントの内容に応じて柔軟に変動させたい。本発明の限定オークションを用いることで、落札価格の標準化を防ぐことができる。
【００７２】
また、特許権等の知的財産権、ドメイン名、アイディア、ノウハウの使用や譲渡、Ｍ＆Ａ等にも、本発明の限定オークションを適用することができる。これらは、出品対象の内容によって価格が大きく変動するものである。したがって、本発明の限定オークションを用いることで、落札価格の標準化を防ぐことができる。
【００７３】
なお、本発明は、以下のように説明することもできる。
【００７４】
本発明の第１の構成にかかるオークション管理システムは、
出品者端末および入札者端末と通信可能であり、出品者からの出品についてのオークションを管理するオークション管理システムであって、出品者端末から出品情報を受け付ける出品受付部と、入札者端末から、入札金額と、ユーザＩＤと、を含む入札応募を受け付ける入札受付部と、入札受付部で受け付けた入札応募に含まれるユーザＩＤに基づいて、入札者情報が記憶されたユーザデータベースから入札者情報を抽出し、出品者端末に入札金額と、入札者情報と、を送信する入札者情報送信部と、入札者情報送信部から送信された入札金額と入札者情報とに基づいて選択された審査通過者の入札者端末に対し、審査結果を通知する審査結果通知部と、審査通過者の入札者端末に対し、オークション開催情報を送信し、オークションを実施するオークション実施部と、オークション実施部で開催されたオークションにおける落札者の入札者端末および出品者の出品者端末に落札結果を通知する落札通知部と、を備える。
【００７５】
この第１の構成では、出品受付部において、出品者端末から出品情報を受け付け、その出品情報に対する入札金額と、ユーザＩＤとを含む入札応募を入札者端末から入札受付部で受け付ける。この入札応募に関する入札者情報を入札者情報送信部にて出品者端末に送信する。入札者情報送信部から送信された入札金額と、入札者情報と、に基づいて選択された審査通過者の入札者端末に対し、審査結果通知部で、審査結果を通知する。オークション実施部では、審査通過者の入札者端末に対してオークション開催画面を表示し、オークションを実施する。これにより、特別なオークションなどで参加者を限定することで、特別なオークションの秘匿性を維持することが可能となり、悪戯入札を防ぐことができる。
【００７６】
本発明の第２の構成にかかるオークション管理システムは、第１の構成のオークション管理システムにおいて、審査通過者に関する情報を、出品者端末から受け付ける選別結果受付部をさらに備える。
【００７７】
この第２の構成によれば、出品者が出品者端末によって審査通過者を選別し、その結果を選別結果受付部が出品者端末から受け付ける。これにより、出品者により審査通過者が選別され、特別なオークションの参加者またはオークション即決による落札者が選別されるため、悪戯入札を防ぐことが可能となる。
【００７８】
本発明の第３の構成に係るオークション管理システムは、第２の構成のオークション管理システムにおいて、入札者情報は、会員ランクを含み、選別結果受付部は、会員ランクが即決可能な会員ランクであり、入札金額がオークションの即決金額以上である場合に、出品者端末からオークションの即決情報を受け取ることが可能であり、落札通知部は、選別結果受付部がオークションの即決情報を受け取った場合に、落札者に落札結果を通知する。
【００７９】
この第３の構成によれば、特別な会員ランクの入札者が即決金額の入札を行った場合に、オークションを即決することが可能となる。
【００８０】
本発明の第４の構成にかかるオークション管理システムは、第１の構成のオークション管理システムにおいて、入札受付部で受け付けた入札応募に含まれるユーザＩＤに基づいて、入札者情報が記憶されたユーザデータベースから入札者情報を抽出し、入札金額と、入札者情報と、オークション参加の審査条件と、に基づいて審査通過者を決定する参加者審査部をさらに備える。
【００８１】
この第４の構成によれば、オークション管理システムの参加者審査部により、審査通過者が決定される。これにより、オークション管理システムにおいて、特別なオークションなどで参加者を限定することで、特別なオークションの秘匿性を維持することが可能となり、悪戯入札を防ぐことができる。また、出品者による審査通過者の選別作業が不要となり、オークション管理システムの効率化を図ることができる。
【００８２】
本発明の第５の構成にかかるオークション管理システムは、第１〜第４の構成のオークション管理システムにおいて、オークション実施部は、審査通過者以外のユーザに、価格情報を非公開としてオークション状況を提供する。
【００８３】
この第５の構成によれば、オークション実施部は、審査通過者以外のユーザに、価格情報を非公開にしつつ、オークション状況を提供する。これにより、オークションの価格の秘匿性を維持しつつ、オークションの開催等の情報は公開し、オークションに関する宣伝や広告の機能を果たすことができる。
【００８４】
本発明の第６の構成にかかるオークション管理システムは、第１〜第５の構成のオークション管理システムにおいて、入札者端末から会員登録申請における登録者情報を受け付ける会員登録受付部と、会員登録申請が特別な会員登録に関するものである場合、管理者端末に登録者情報を送信する登録者情報送信部と、登録者情報送信部から送信された登録者情報に基づいて、特別な会員登録の可否を審査した登録審査結果を、管理者端末から受け付け、登録審査結果で登録が認められる場合には、登録者情報をユーザデータベースに記憶する登録審査結果受付部と、登録審査結果受付部で受け付けた登録審査結果に基づいて、登録審査結果を入札者端末に通知する登録結果通知部と、を備える。
【００８５】
この第６の構成によれば、特別な会員登録の会員登録申請において審査が行われ、ユーザデータベースに記憶される。これにより、事前に会員登録に関する審査がおこなわれた特別な会員ランクの入札者を設定できることにより、オークション参加者の選別においてより適切な選別が実施できる。
【００８６】
本発明にかかるオークション管理方法は、出品者端末から、出品情報と、オークション参加の審査条件と、を受け付け、入札者端末から、入札金額と、ユーザＩＤと、を含む入札応募を受け付け、入札応募に含まれるユーザＩＤに基づいて、入札者情報が記憶されたユーザデータベースから入札者情報を抽出し、入札金額と入札者情報とに基づいて選択された審査通過者の入札者端末に対し、審査結果を通知し、審査通過者に対し、オークション開催情報を送信し、オークションを実施し、オークションにおける落札者の入札者端末および出品者の出品者端末に落札結果を通知する。
【００８７】
このオークション管理方法によれば、出品者端末から出品情報を受け付け、その出品情報に対する入札金額と、ユーザＩＤとを含む入札応募を入札者端末から受け付ける。この入札応募に関する入札者情報を出品者端末に送信する。入札金額と、入札者情報と、に基づいて選択された審査通過者の入札者端末に対し、審査結果を通知する。審査通過者に対してオークション開催画面を表示し、オークションを実施する。これにより、特別なオークションなどで参加者を限定することで、特別なオークションの秘匿性を維持することが可能となり、悪戯入札を防ぐことができる。
【００８８】
本発明にかかるプログラムは、出品者端末から、出品情報と、オークション参加の審査条件と、を受け付け、入札者端末から、入札金額と、ユーザＩＤと、を含む入札応募を受け付け、入札応募に含まれるユーザＩＤに基づいて、入札者情報が記憶されたユーザデータベースから入札者情報を抽出し、入札金額と、入札者情報と、に基づいて選択された審査通過者の入札者端末に対し、審査結果を通知し、審査通過者に対し、オークション開催情報を送信し、オークションを実施し、オークションにおける落札者および出品者に落札結果を通知する処理を、コンピュータに実行させるためのプログラムである。
【００８９】
このプログラムによって動作するコンピュータは、出品者端末から出品情報を受け付け、その出品情報に対する入札金額と、ユーザＩＤとを含む入札応募を入札者端末から受け付ける。この入札応募に関する入札者情報を出品者端末に送信する。入札金額と、入札者情報と、に基づいて選択された結果を、審査通過者の入札者端末に対し、審査結果を通知する。審査通過者に対してオークション開催画面を表示し、オークションを実施する。これにより、特別なオークションなどで参加者を限定することで、特別なオークションの秘匿性を維持することが可能となり、悪戯入札を防ぐことができる。
【００９０】
また、上記のプログラムを記録した記録媒体も、本発明の一つの態様である。
【符号の説明】
【００９１】
１００…オークション管理システム、１０１…出品受付部、１０２…入札受付部、１０３…入札者情報送信部、１０４…選別結果受付部、１０５…審査結果通知部、１０６…オークション実施部、１０７…落札通知部、１１１…ユーザＤＢ、１１３…入札ＤＢ、２００…出品者端末、３００…入札者端末、４００…ネットワーク、５００…オークション管理システム、５０３…参加者審査部、６００…オークション管理システム、６０８…会員登録受付部、６０９…登録者情報送信部、６１０…登録審査結果受付部、６１１…登録結果通知部、７００…管理者端末
【要約】      （修正有）【課題】特別なオークションなどにおいて、参加者を限定することで、特別なオークションの秘匿性を維持することが可能となり、悪戯入札を防ぐことができるオークション管理システムを提供する。【解決手段】オークション管理システム１００は、出品情報を受け付ける出品受付部１０１と、入札金額とユーザＩＤとを含む入札応募を受け付ける入札受付部１０２と、ユーザＤＢ１１１から入札者情報を抽出し、出品者端末２００に入札金額と入札者情報とを送信する入札者情報送信部１０３と、入札金額と入札者情報とに基づいて選択された審査通過者の入札者端末３００に対し、審査結果を通知する審査結果通知部１０５と、審査通過者の入札者端末３００に対しオークション開催情報を送信し、オークションを実施するオークション実施部１０６と、落札者の入札者端末３００および出品者の出品者端末２００に落札結果を通知する落札通知部１０７とを備える。【選択図】図１【図１】
0006664726.tif 000002
【図２】
0006664726.tif 000003
【図３】
0006664726.tif 000004
【図４】
0006664726.tif 000005
【図５】
0006664726.tif 000006
【図６】
0006664726.tif 000007
【図７】
0006664726.tif 000008
【図８】
0006664726.tif 000009
【図９】
0006664726.tif 000010
【図１０】
0006664726.tif 000011
【図１１】
0006664726.tif 000012
【図１２】
0006664726.tif 000013
【図１３】
0006664726.tif 000014
【図１４】
0006664726.tif 000015
【図１５】
0006664726.tif 000016
【図１６】
0006664726.tif 000017
【図１７】
0006664726.tif 000018